(57)【要約】【課題】本発明の目的は、複数の音声系統を出力制御できる金融情報配信システムを提供することである。【解決手段】本発明の金融情報配信システムは、複数系統の音声出力を制御する金利金融情報配信システムであって、第一の音声系統と第二の音声系統は再生スケジュールが双方リンク付けされており、ＢＧＭ用スピーカや多画面での同時出力を可能とし、第一の音声系統は店舗内ディスプレイ及びスピーカに接続し、ビデオコンテンツ、ニュースコンテンツ、金利情報コンテンツの出力を、コンテンツ表示スケジュールに従い循環出力や固定表示出力で配信し、第二の音声系統は、放送用アンプに接続し、店頭及びＡＴＭ側のスピーカに対して主にＢＧＭコンテンツをコンテンツ表示スケジュールに従い、循環出力や固定表示出力で配信することを特徴とする。【選択図】  図３
2018180583.tif 000002
【特許請求の範囲】
【請求項１】
複数系統の音声出力を制御する金融情報配信システムであって、
第一の音声系統と第二の音声系統は再生スケジュールが双方リンク付けされており、ＢＧＭ用スピーカや多画面での同時出力を可能とし、
前記第一の音声系統は、店舗内ディスプレイ及びスピーカに接続し、ビデオコンテンツ、ニュースコンテンツ、金利情報コンテンツ等の出力を、コンテンツ表示スケジュールに従い循環出力や固定表示出力等で配信し、
前記第二の音声系統は、放送用アンプに接続し、店頭及びＡＴＭ側のスピーカに対してＢＧＭコンテンツをコンテンツ表示スケジュールに従い循環出力や固定表示出力等で配信することを特徴とする金融情報配信システム。
【請求項２】
請求項１に記載の金融情報配信システムであって、
第二の音声系統は、顧客の店舗内への誘導やセンサ連動によるコンテンツ表示として販売促進に寄与することを特徴とする金融情報配信システム。
【請求項３】
請求項１または請求項２に記載の金融情報配信システムであって、
配信情報を一括管理し、配信する金融情報の内容の審査や情報の共通化を図ることを特徴とする金融情報配信システム。
【発明の詳細な説明】
【技術分野】
【０００１】
本発明は、金融情報配信システムに関するものである。
【背景技術】
【０００２】
従来の金融情報配信システムの構成について図１を用いて説明する。
銀行や証券等金融機関等の各店舗に設置された金融情報配信システム１００は、本店１１０に設置された配信サーバ１１１に対し、入力ＰＣ（Personal  Computer）１１２からＬＡＮ（Local  Area  Network）１１３とネットワーク１２０等を介してコンテンツ情報やコンテンツ表示スケジュール情報を登録する。登録された情報を各支店（店舗）１３０−１〜１３０−Ｎ（Ｎは正数）の表示制御ＰＣ１３１が受信し、各支店（店舗）１３０−１〜１３０−Ｎの表示装置及びスピーカ１３２に映像及び音声を１つの音声系統１として出力していた。また、各支店（店舗）１３０−１〜１３０−Ｎにおいては、支店（店舗）１３０−１〜１３０−Ｎ毎に店内（店頭やＡＴＭ（Automated/Automatic  Teller  Machine））のスピーカにＢＧＭ（Back  Ground  Music、例えば有線等）を流しているため、ＢＧＭ用の音声出力も金融情報配信システムを用いて制御したいという要望があるが、従来方式では実現できなかった。
【０００３】
先行技術文献としては、例えば、特許文献１に、サーバが、表示制御装置に応じた表示スケジュールを生成し、表示制御装置にコンテンツと当該表示制御装置に応じた表示スケジュールを配信すると共に、表示制御装置に配信されるコンテンツの内、広告コンテンツの広告主に応じた広告主用スケジュールを生成して、広告主の店舗に設けられた表示装置に当該広告主の広告コンテンツと広告主用表示スケジュールとを配信するコンテンツ表示システムの発明が開示されている。
また、他の先行技術文献としては、例えば、特許文献２に、本支店の店舗数が少ない銀行や証券会社など施設であっても、入力装置やサーバや外部端末といった各装置を購入して設置する必要がなく、表示装置だけを購入して設置することにより、必要なデータを表示することができる情報表示システムの発明が開示されている。
【先行技術文献】
【特許文献】
【０００４】
【特許文献１】特開２００５−１１５４４５号公報
【特許文献２】特開２００２−１０９２３５号公報
【発明の概要】
【発明が解決しようとする課題】
【０００５】
本発明の目的は、複数の音声系統を出力制御できる金融情報配信システムを提供することである。
【課題を解決するための手段】
【０００６】
本発明の金融情報配信システムは、複数系統の音声出力を制御する金利金融情報配信システムであって、第一の音声系統と第二の音声系統は再生スケジュールが双方リンク付けされており、ＢＧＭ用スピーカや多画面での同時出力を可能とし、第一の音声系統は店舗内ディスプレイ及びスピーカに接続し、ビデオコンテンツ、ニュースコンテンツ、金利情報コンテンツの出力を、コンテンツ表示スケジュールに従い循環出力や固定表示出力で配信し、第二の音声系統は、放送用アンプに接続し、店頭及びＡＴＭ側のスピーカに対してＢＧＭコンテンツをコンテンツ表示スケジュールに従い循環出力や固定表示出力で配信することを特徴とする。
【０００７】
また、第二の音声系統は、顧客の店舗内への誘導やセンサ連動によるコンテンツ表示として販売促進に寄与することが好ましい。
【０００８】
さらに、配信情報を一括管理し、配信する金融情報の内容の審査や情報の共通化を図ることが好ましい
【発明の効果】
【０００９】
本発明によれば、複数の音声系統を出力制御できる金融情報配信システムを提供することができる。
【図面の簡単な説明】
【００１０】
【図１】従来の金融情報配信システムの概略システム構成図である。
【図２】本発明の一実施形態に係る金融情報配信システムの概略システム構成図である。
【図３】本発明の一実施形態に係る金融情報配信システムにおける支店の概略システム構成図である。
【図４】本発明の一実施形態に係る金融情報配信システムにおける複数音声出力に対応したコンテンツ登録画面を説明するための図である。
【図５】本発明の一実施形態に係る金融情報配信システムにおける複数音声出力に対応したコンテンツ表示スケジュール管理画面を説明するための図である。
【発明を実施するための形態】
【００１１】
以下、本発明の実施形態について図面を参照して詳細に説明する。
図２は本発明の一実施形態に係る金融情報配信システムの概略システム構成図である。
図２において、金融情報配信システム２００は、本店２１０と複数の支店（店舗）２３０−１〜２３０−Ｎ（Ｎは正数）（支店を代表する場合は２３０と称する）がネットワーク２２０を介して接続されている。
【００１２】
本店２１０は、配信サーバ２１１と入力ＰＣ（Personal  Computer）２１２がＬＡＮ（Local  Area  Network）２１３を介して接続されている。
支店２３０−１〜２３０−Ｎは、表示制御ＰＣ２３１、表示装置及びスピーカ２３２、店内スピーカ２３３で構成されている。
表示制御ＰＣ２３１は、表示装置及びスピーカ２３２に対して音声系統１を出力し、店内スピーカ２３３に対して音声系統２を出力する。
音声系統２は、例えば、ＢＧＭ等である。
【００１３】
図３は本発明の一実施形態に係る金融情報配信システムにおける支店の概略システム構成図である。
図３において、支店２３０は、表示制御ＰＣ２３１、表示装置及びスピーカ２３２、店内スピーカ２３３、放送用アンプ２３５、スピーカ２３６で構成されている。
各機器の設置場所としては、例えば、表示装置及びスピーカ２３２と店内スピーカ２３３が店頭側で、スピーカ２３６が店内自動機コーナーのＡＴＭ側等である。
【００１４】
表示制御ＰＣ２３１は、複数の音声系統を出力するため、複数の音声系統を出力できるものを使用するか、またはオーディオカード（Sound  card 、Sound  board）等を増設する。
表示制御ＰＣ２３１は、例えば、ビデオコンテンツ、ニュースコンテンツ、金利情報コンテンツ等の音声系統１について、コンテンツ表示スケジュールに従い、循環出力や固定表示出力等を実施する。
また、表示制御ＰＣ２３１は、例えば、ＢＧＭコンテンツ等の音声系統２について、コンテンツ表示スケジュールに従い、循環出力や固定出力等を実施する。
【００１５】
本発明の音声系統２の一適用例としては、店頭側の店内スピーカ２３３とＡＴＭ側のスピーカ２３６から、例えば、商品の簡単な説明音声で顧客を支店内へ誘導する内容とする。そして、一部又は全部について音声系統１は音声系統２に連動した内容とし、音声系統１と音声系統２には再生出力配信スケジュールをリンク付けする。ここで、連動した内容とは、例えば、同類の情報の音声を同時に出力したり、人の移動に合わせた時間差で同類の情報の音声を出力することである。
なお、本発明の金融情報配信システムは、さらに、人感センサや顔認証センサ等のセンサを設置し、人が近付いたことを人感センサが感知すると、その人に合った金融情報（老人向け、投資家向け）を音声出力してもよい。
また、配信情報を例えば本店の配信サーバにて一括管理することにより、各支店に配信する金融情報の内容について、個人情報やコンプライアンスの点で問題がないか審査を行ったり、各支店へ同一内容を提供することで情報の共通化を図ったりすることができる。
【００１６】
図４は本発明の一実施形態に係る金融情報配信システムにおける複数音声出力に対応したコンテンツ登録画面を説明するための図である。
図４の表示画面４００は、入力ＰＣ２１２の図示していない表示装置の画面である。
表示画面４００のコンテンツ登録画面は、主に、番組名欄４１０、表示方向欄４２０、画面種別欄４３０、番組再生時間設定欄４４０、番組有効期間欄４５０、即時配信欄４６０、音声系統出力設定欄４７０で構成されている。
【００１７】
番組名欄４１０は、例えば、番組名欄４１１に「新しい番組」と、更新日欄４１２に「2017年3月7日」と、バージョン欄４１３に「２」と入力することにより、入力した情報を登録することができる。
表示方向欄４２０は、横表示４２１または縦表示４２２を選択することができる。
【００１８】
画面種別欄４３０は、コンテンツ４３１、ＴＶチャンネル４３２、ニュース４３３、写真ニュース４３４、ビデオセレクト４３５等から所望の一つを選択することができる。
また、画面種別欄４３０は、番組アイテム欄４３６と登録済みアイテム欄４３９を有し、番組アイテム欄４３６に一覧表示された番組アイテムから所望の番組アイテムを選択し、追加アイコン４３７を押下することにより、選択した番組アイテムを登録済みアイテム欄４３９に登録することができる。
さらに、画面種別欄４３０は、登録済みアイテム欄４３９に一覧表示された番組アイテムから削除した番組アイテムを選択し、削除アイコン４３８を押下することにより、選択した番組アイテムを登録済みアイテム欄４３９から削除することができる。
【００１９】
番組再生時間設定欄４４０は、番組の再生時間を設定することができる。
番組再生時間設定欄４４０は、自動４４１または指定４４２の何れかを選択でき、自動４４１を選択した場合には予め設定してある再生時間が設定され、指定４４２を選択した場合には再生時間を時間設定欄４４３、分設定欄４４４、秒設定欄４４５を用いて設定することができる。番組再生時間設定欄４４０は、例えば、00時間00分20秒等と設定する。
【００２０】
番組有効期間欄４５０は、番組の有効期間を設定でき、例えば、設定欄４５１に「期間設定なし：無期限」と設定することができる。
即時配信欄４６０は、即時配信の要否を設定でき、例えば、設定欄４６１に「即時配信可能」と設定することができる。
【００２１】
音声系統出力設定欄４７０は、音声系統の出力を設定でき、例えば、音声系統１（大型表示装置）、音声系統２(店内ＢＧＭ)の何れか、または両方を設定することができる。ここでは２種類の例を示したが、複数から１乃至複数を設定できるようにしてもよい。
【００２２】
表示画面４００のＯＫアイコン４８１が押下されると、設定および入力した内容が入力ＰＣ２１２に登録される。
また、表示画面４００のキャンセルアイコンが押下されると、設定および入力した内容を登録せずに消去することができる。
【００２３】
図５は本発明の一実施形態に係る金融情報配信システムにおける複数音声出力に対応したコンテンツ表示スケジュール管理画面を説明するための図である。
図５の表示画面５００は、入力ＰＣ２１２の図示していない表示装置の画面である。
表示画面５００は、コンテンツ表示スケジュール管理画面であり、コンテンツの表示スケジュール情報の確認および編集ができる画面である。
【００２４】
表示画面５００のコンテンツ表示スケジュール情報一覧５１０は、主に音声出力先５１１、コンテンツ名５１２、表示順５１３、表示時間５１４で構成されている。
コンテンツの表示スケジュール情報は、コンテンツ表示スケジュール情報一覧５１０で確認することができる。
【００２５】
操作者は、コンテンツ表示スケジュール情報一覧５１０を見ながら、登録５２１、編集５２２、削除５２３、順序↑５３１、順序↓５３２の各アイコンを押下することにより、コンテンツの表示順の入れ替え、コンテンツ追加・削除や各コンテンツの属性情報の修正等の編集を行うことができる。
【００２６】
コンテンツ表示スケジュール情報一覧５１０の情報は、編集作業終了後、登録５２１が押下されると、入力ＰＣ２１２に登録される。
【００２７】
本発明の実施形態である金融情報配信システムは、複数の音声系統を出力制御できる。
【００２８】
以上、本発明の一実施形態について詳細に説明したが、本発明は上述した実施形態に限定されるものではなく、本発明の趣旨を逸脱しない範囲で種々変更して実施することができる。
【産業上の利用可能性】
【００２９】
複数の音声系統を出力制御できることによって、顧客等に合わせて金融情報等を提供したい用途に適用できる。
【符号の説明】
【００３０】
１００：金融情報配信システム、１１０：本店、１１１：配信サーバ、１１２：入力ＰＣ、１１３：ＬＡＮ、１２０：ネットワーク、１３０−１〜１３０−Ｎ：支店、１３１：表示制御ＰＣ、１：音声系統、１３２：表示装置及びスピーカ、２００：金融情報配信システム、２１０：本店、２１１：配信サーバ、２１２：入力ＰＣ、２１３：ＬＡＮ、２２０：ネットワーク、２３０−１〜２３０−Ｎ：支店、２３１：表示制御ＰＣ、１，２：音声系統、２３２：表示装置及びスピーカ、２３３：店内スピーカ。
【図１】
2018180583.tif 000003
【図２】
2018180583.tif 000004
【図３】
2018180583.tif 000005
【図４】
2018180583.tif 000006
【図５】
2018180583.tif 000007